(57)【要約】【課題】利用者に不満を与えることなく使用を制限する。【解決手段】  入場信号や出場信号の受信によって、着信モードをマナーモードに切り替え、マナーモードに切り替えられた場合において、利用者が発する音声の送信を禁止する。そして、マナーモードに切り替えられた場合において、着信すると文字の入力が可能な画面を表示し、入力された文字に対応する文字データを、音声データに変換し、その変換された音声データを着信相手に送信する。【選択図】図２
2007329710.tif 000002
【特許請求の範囲】
【請求項１】
外部からの入力によって、着信モードを無音で着信を報知するマナーモードに切り替えるモード切替手段と、
前記モード切替手段によりマナーモードに切り替えられた場合において、前記利用者が発する音声の送信を禁止する音声送信禁止手段と、
前記モード切替手段によりマナーモードに切り替えられた場合において、着信すると文字の入力が可能な画面を表示する画面表示手段と、
前記画面において文字を入力する文字入力手段と、
入力された前記文字に対応する文字データを、音声データに変換するデータ変換手段と、
当該データ変換手段によって変換された音声データを着信相手に送信するデータ送信手段と
を備えていることを特徴とする携帯電話機。
【請求項２】
利用者の構内への入場を許可する駅務機器が送信する入場信号に基づいて機能が制御される携帯電話機において、
前記入場信号を受信する入場信号受信手段と、
前記入場信号を受信すると、着信モードを無音で着信を報知するマナーモードに切り替えるモード切替手段と、
前記モード切替手段によりマナーモードに切り替えられた場合において、前記利用者が発する音声の送信を禁止する音声送信禁止手段と、
前記モード切替手段によりマナーモードに切り替えられた場合において、着信すると文字の入力が可能な画面を表示する画面表示手段と、
前記画面において文字を入力する文字入力手段と、
入力された前記文字に対応するデータを、着信相手に送信するデータ送信手段と
を備えていることを特徴とする携帯電話機。
【請求項３】
入力された文字を対応する音声データに変換するデータ変換手段をさらに備え、前記データ送信手段は、前記音声データを送信することを特徴とする請求項１又は２に記載の携帯電話機。
【請求項４】
前記着信時に、着信相手に音声の送信が禁止されていることを報知する報知手段を備えていることを特徴とする請求項１〜３の何れか１項に記載の携帯電話機。
【請求項５】
請求項２〜４の何れかに記載の携帯電話機と、前記駅務機器とから構成される駅務システムにおいて、
前記駅務機器は、
前記利用者の構内への入場を許可する入場許可手段と、
前記入場許可手段が許可した場合に、前記携帯電話機に前記入場信号を送信する入場信号送信手段と
を有していることを特徴とする駅務システム。
【発明の詳細な説明】
【技術分野】
【０００１】
本発明は、携帯電話機及びそれを備えた駅務システムに関するものである。
【背景技術】
【０００２】
近年、携帯電話機の使用エリアが拡大しており、どのような場所であっても携帯電話機を使用できる。このため、周囲に迷惑がかかるような場所、例えば、電車内等では、着信モードを無音で着信を報知する所謂「マナーモード」に切り替え、車内で電子音が鳴らないようにするなど、各利用者が携帯電話機の使用を自粛することが望まれている。ところが、各利用者のモラルに訴えても、迷惑行為がなかなか減らないため、強制的に携帯電話機の使用を制限しようとする試みがある。例えば、特許文献１には、駅の自動改札を通過すると、携帯電話機の着信モードを強制的にマナーモードに切り替え、車内で電子音が鳴らないようにするシステムが開示されている。
【０００３】
【特許文献１】特開２００３−３０９６４２号公報
【発明の開示】
【発明が解決しようとする課題】
【０００４】
ところが、特許文献１では、車内で電子音を鳴らさないようにできても、携帯電話機での会話は可能であるため、携帯電話機での会話による迷惑行為は減ることはないという問題が生じる可能性がある。このため、携帯電話機の使用自体を強制的に禁止することが考えられるが、生活に不可欠となった携帯電話機を使用不可能とすると、利用者から不満があがるおそれがある。
【０００５】
そこで、本発明の目的は、利用者に不満を与えることなく使用を制限することができる携帯電話機及びそれを備えた駅務システムを提供することである。
【課題を解決するための手段及び効果】
【０００６】
上記目的を達成するために、第１の発明の携帯電話機は、外部からの入力によって、着信モードを無音で着信を報知するマナーモードに切り替えるモード切替手段と、モード切替手段によりマナーモードに切り替えられた場合において、利用者が発する音声の送信を禁止する音声送信禁止手段と、モード切替手段によりマナーモードに切り替えられた場合において、着信すると文字の入力が可能な画面を表示する画面表示手段と、画面において文字を入力する文字入力手段と、入力された文字に対応する文字データを、音声データに変換するデータ変換手段と、当該データ変換手段によって変換された音声データを着信相手に送信するデータ送信手段とを備えていることを特徴とする。
【０００７】
この構成によると、利用者の携帯電話機が外部からの入力により自動的にマナーモードに切り替えられ、かつ、その携帯電話機からの送話をすることができないようになっている。そして、そのときに着信があると、文字が入力可能となり、入力した文字を着信相手に送信するようになっている。つまり、通話が禁止されているエリアでの通話を制限できると共に、着信相手と文字による通話が可能となる。これにより、通話ができないエリアで重要な着信があっても直ぐに応答することができ、一方方向の電子メールとは異なりリアルタイムでの双方向のやり取りができる場合がある。なお、外部からの入力は、利用者の近くにある機器等から送信される信号であってもよいし、利用者の操作による入力であってもよい。
【０００８】
第２の発明の目的は、利用者の構内への入場を許可する駅務機器が送信する入場信号に基づいて機能が制御される携帯電話機において、入場信号を受信する入場信号受信手段と、入場信号を受信すると、着信モードを無音で着信を報知するマナーモードに切り替えるモード切替手段と、モード切替手段によりマナーモードに切り替えられた場合において、利用者が発する音声の送信を禁止する音声送信禁止手段と、モード切替手段によりマナーモードに切り替えられた場合において、着信すると文字の入力が可能な画面を表示する画面表示手段と、画面において文字を入力する文字入力手段と、入力された文字に対応するデータを、着信相手に送信するデータ送信手段とを備えていることを特徴とする。
【０００９】
この構成によると、利用者は駅務機器を通り構内へと入場するとその利用者が所有する携帯電話機が自動的にマナーモードに切り替えられ、かつ、その携帯電話機からの送話をすることができないようになっている。そして、そのときに着信があると、文字が入力可能となり、入力した文字を着信相手に送信するようになっている。つまり、通話が禁止されている車中での通話を制限できると共に、着信相手と文字による通話が可能となる。これにより、通話ができない車中で重要な着信があっても直ぐに応答することができ、一方方向の電子メールとは異なりリアルタイムでの双方向のやり取りができる場合がある。
【００１０】
第３の発明は、第１又は第２の発明の携帯電話機において、入力された文字を対応する音声データに変換するデータ変換手段をさらに備え、データ送信手段は、音声データを送信することを特徴とする。
【００１１】
この構成によると、入力した文字が音声データとして着信相手に送信されるため、着信相手側では通常の通話と同じように通話ができる場合がある。
【００１２】
第４の発明は、第１〜３の発明の何れかの携帯電話機において、着信時に、着信相手に音声の送信が禁止されていることを報知する報知手段を備えていることを特徴とする。
【００１３】
第５の発明は、第２〜３の発明の何れかの携帯電話機と、駅務機器とから構成される駅務システムにおいて、駅務機器は、利用者の構内への入場を許可する入場許可手段と、入場許可手段が許可した場合に、携帯電話機に入場信号を送信する入場信号送信手段とを有していることを特徴とする。
【００１４】
この構成によると、利用者は駅務機器を通り構内へと入場するとその利用者が所有する携帯電話機が自動的にマナーモードに切り替えられ、かつ、その携帯電話機からの送話をすることができないようになっている。そして、そのときに着信があると、文字が入力可能となり、入力した文字を着信相手に送信するようになっている。つまり、通話が禁止されている車中での通話を制限できると共に、着信相手と文字による通話が可能となる。これにより、通話ができない車中で重要な着信があっても直ぐに応答することができ、一方方向の電子メールとは異なりリアルタイムでの双方向のやり取りができる場合がある。
【発明を実施するための最良の形態】
【００１５】
以下、本発明の好適な実施の形態について、図面を参照して説明する。
【００１６】
本実施の形態の携帯電話機は、外部から入力により機能が制限されるように構成されている。この「外部からの入力」とは、携帯電話機の近くに設置される装置等から送信される信号を受信することであってもよいし、携帯電話機の所有者が行う入力操作であってもよい。以下の説明では、駅に設置される自動改札機からの信号により機能が制限されるものとして説明する。
【００１７】
図１は、駅務システム１の全体を示す図である。駅務システム１は、携帯電話機１０と、利用者の駅構内への入出場を許可する自動改札機２０とから構成されている。
【００１８】
（携帯電話機）
携帯電話機１０は、自動改札機２０を通過する利用者に所持されており、一般的な携帯電話機の機能に加えて、自動改札機２０からの信号を受信して着信モードを切り替えたり、通話機能を制限したりする機能を有している。なお、着信モードは、電子音等で着信を報知する通常モードと、無音で筐体を振動させて着信を報知するマナーモードとがある。
【００１９】
携帯電話機１０は、図１に示すように、利用者が駅構内へ入場する際に自動改札機２０から送信される入場信号を受信すると、着信モードをマナーモードに切り替える。そして、このときに着信した場合、利用者が発した音声の送信を禁止する。なお、着信相手から送られる音声は受信可能となる。即ち、自動改札機２０から入場信号を受信すると、利用者は着信相手の声を聞くことはできても、自分の声を相手に聞かせることができなくなる。これにより、携帯電話機１０での会話を制限できるようになる。
【００２０】
また、携帯電話機１０は、マナーモードに切り替えられた際に着信すると、文字を入力する画面を表示する。そして、入力された文字を、その文字に対応する電子音声に変換し、変換後の電子音声を着信相手に送信する。具体的には、図２に示すように、「こんにちは」という文字を入力し、送信すると、着信相手の携帯電話機１０のスピーカからは「こんにちは」という音声が発せられる。これにより、音声の送信が禁止された場合であっても、着信相手とコミュニケーションをとることができ、重要な着信等を逃してしまうおそれをなくすことができる。
【００２１】
さらに、携帯電話機１０は、マナーモードに切り替えられた際に着信したときに、着信相手に、現在音声の送話が禁止されている旨のメッセージを送信するようになっている。これにより、利用者の文字の入力が遅い場合であっても、着信相手にその旨を報知することで、着信相手を苛立たせることなく通話ができる場合がある。
【００２２】
なお、利用者が駅構内から出場する際に自動改札機２０から送信される出場信号を受信すると、着信モードを通常モードに切り替え、音声の送話の禁止などを解除するようになっている。
【００２３】
上記機能を有する携帯電話機１０は、図３に示すように、マイクロコンピュータ１１、不揮発性メモリ１２、二次電池１３、液晶パネル１４、操作部１５、振動ユニット１６、信号受信部１７、スピーカ１８ａ、マイク１８ｂが接続される音声回路１８、無線部１９及び送受信アンテナ１９ａを備えている。
【００２４】
マイクロコンピュータ１１は、ＣＰＵ（Central Processing Unit）、ＲＯＭ(Read Only Memory)及びＲＡＭ(Random Access Memory)から構成されたもので、例えば、着信モードの切り替え処理、通話機能の制限処理、電子音声変換処理、電話の発着信処理、電子メールの作成送受信処理、インターネット処理等を行う。着信モードの切り替え処理とは、自動改札機２０から入場信号を受信すると、着信モードをマナーモードに切り替え、自動改札機２０から出場信号を受信すると、着信モードを通常モードに切り替える処理である。また、通話機能の制限処理とは、着信モードがマナーモードに切り替えられた場合に、音声信号の送信を禁止する処理である。さらに、電子音声変換処理とは、入力された文字を対応する音声に変換する処理である。なお、電子メールの送受信及びインターネットによるデータの送受信は、マイクロコンピュータ１１が無線部１９及び送受信アンテナ１９ａを介して行う。不揮発性メモリ１２は、例えば、現在音声の送話が禁止されている旨を報知するメッセージデータ、待受画像用の画像データ等の各種データや各種プログラムを不揮発的に記憶する。二次電池１３は、各回路に電力を供給する。
【００２５】
液晶パネル１４は、着信モードの切り替えを報知する報知画面（図５（ａ）参照）や、着信を報知する報知画面（図５（ｂ）参照）、着信モードがマナーモードに切り替えられた際の着信時に文字を入力する入力画面（図５（ｃ）参照）等を表示する。操作部１５は、数字や文字を入力する操作ボタンである。振動ユニット１６は、マナーモード時に着信すると、マイクロコンピュータ１１により制御され、携帯電話機１０の筐体を振動させる。信号受信部１７は、自動改札機２０から発せられる信号を受信する。
【００２６】
無線部１９は、マイクロコンピュータ１１により制御されて、送受信アンテナ１９ａを通じて電波を媒体として基地局３０（図２参照）に対して音声データ等を送受信する。音声回路１８は、無線部１９からマイクロコンピュータ１１を通じて出力された受信信号をスピーカ１８ａに出力するとともに、マイク１８ｂから出力された音声信号を送信信号としてマイクロコンピュータ１１を通じて無線部１９に出力する。
【００２７】
スピーカ１８ａは、音声回路１８から出力された受信信号を受信音声に変換して出力し、マイク１８ｂは、操作者から発せられた音声を音声信号に変換して音声回路１８に出力する。
【００２８】
（自動改札機）
自動改札機２０は、改札口に設置され、駅構内への入場又は出場を自動で監視・管理する装置であり、入場改札２０ａと出場改札２０ｂとを備えている。入場改札２０ａ及び出場改札２０ｂは交互に対向配置され、間に利用者が通る改札通路を形成している。なお、入場改札２０ａ及び出場改札２０ｂは、何れも同じ構成であって、逆向きに配置されただけであるため、以下の説明では入場改札２０ａについて説明する。
【００２９】
入場改札２０ａは、改札通路の入口側に図示しない券売機で発行された切符４０を投入する投入口２１、出口側に切符を返却する返却口２２が設けられている。自動改札機２０の内部には、検札装置２６（図４参照）が設けられており、検札装置２６は、投入口から投入された切符４０の情報を読み取り、入場時刻などを印刷・記録する。
【００３０】
また、投入口２１の近傍には、非接触切符５０がタッチ又はかざされると、非接触切符５０のデータを読み取り、また、非接触切符５０にデータを書き込むリーダ・ライタ装置２３が設けられている。リーダ・ライタ装置２３は、非接触切符５０と交信を行うための複数のアンテナ（図示せず）が接続されている。これらアンテナは、非接触切符５０とデータ授受を行う機能と、非接触切符５０に電力を供給する機能とを備えている。
【００３１】
上記非接触切符５０は、無線通信機能を有するＩＣカードと同様に構成されている。すなわち、この非接触切符５０には、アンテナ５１と、自動改札機２０側と交信するための通信制御部５２と、その通信制御部５２とＩ／Ｏユニット５３を介して接続されているＣＰＵ５４と、システムプログラムデータ、定期券データやカードＩＤデータ等の所定のカードデータが記録されているメモリ５５と、自動改札機２０からの電力波を、アンテナ５１を介して受信し、非接触切符の駆動電力を生成する電力生成回路５６とを有している。なお、非接触切符５０は、電力生成回路５６を有せず、内部に駆動電源（電池）を持つようにしてもよい。
【００３２】
さらに、改札通路の出口側には表示画面２４が設けられ、切符４０や非接触切符５０の読み取った情報等が表示される。
【００３３】
また、改札通路の入口側及び出口側には、切符４０や非接触切符５０の読み取った情報に基づいて、利用者の入場又は出場を阻止するゲート２５が設けられている。さらに、信号送信部２７が設けられており、利用者が自動改札機２０を通過して入場する際に、利用者が所有する携帯電話機１０に対して入場信号を送信する。なお、出場改札２０ｂの場合は、出場信号を送信する。
【００３４】
なお、自動改札機２０は、上記の他、改札通路を通る人間を赤外線で感知するセンサ部、回収した切符を収納する収納箱（何れも図示せず）などを備えている。
【００３５】
上記各装置等は、制御部２８により制御される。制御部２８は、ＣＰＵ、ＲＯＭ及びＲＡＭから構成されたもので、例えば、入場信号（出場信号）を送信する信号送信処理、情報を表示画面２４に表示する表示処理、ゲートの開閉処理等を行う。
【００３６】
上記構成の自動改札機２０において、利用者がリーダ・ライタ装置２３のアンテナに非接触切符５０をタッチ又はかざして入出場しようとするか、切符４０を投入して入出場しようとすると、切符４０又は非接触切符５０に記録されているデータの読み取りが行われる。そして、読み取られたデータは、制御部２８での演算処理に供される。その演算処理の結果、入出場を許可できるものであれば、入場信号又は出場信号を送信すると共に、ゲート２５が開かれて改札通路の通過が許可されて正常な入出場処理が行われる。上述の入出場の演算処理の結果、入出場を許可できないときは、ゲート２５が閉じられ、表示画面２４を介して入出場を許可できない旨が利用者に案内されるとともに、係員室に設けられている図示しない監視盤にその旨が表示される。
【００３７】
（駅務システムの動作）
次に、上記駅務システム１の携帯電話機１０及び自動改札機２０の動作について説明する。
【００３８】
（携帯電話機の動作）
携帯電話機１０のマイクロコンピュータ１１は、一般的な携帯電話機の動作処理を実行すると共に、図６のフローチャートに示す処理を平行して実行する。具体的には、まず、携帯電話機１０の制御部２８は、入場信号を受信したか否かを判定する（Ｓ１）。入場信号を受信していない場合（Ｓ１：ＮＯ）、受信するまで待機する。入場信号を受信した場合（Ｓ１：ＹＥＳ）、次に、着信モードをマナーモードに設定する（Ｓ２）。この際、液晶パネル１４には、図５（ａ）に示すように、「マナーモードに設定しました」というメッセージを表示する。
【００３９】
その後、着信したか否かを判定する（Ｓ３）。着信していない場合（Ｓ３：ＮＯ）、Ｓ１０に移行する。着信した場合（Ｓ３：ＹＥＳ）、振動ユニット１６を駆動し、振動を開始させると共に、液晶パネル１４に図５（ｂ）に示す報知画面を表示し、着信に対して応答したか否かを判定する（Ｓ４）。具体的には、図５（ｂ）に示す画面の「応答」に対応する操作部１５のボタンを操作したか、「切断」に対応するボタンを操作したかを判定する。着信に応答しない場合（Ｓ４：ＮＯ）、つまり、「切断」に対応するボタンを操作された場合、回線を切断し、Ｓ１０に移行する。
【００４０】
着信に応答した場合（Ｓ４：ＹＥＳ）、つまり、「応答」に対応するボタンが操作された場合、現在音声の送話が禁止されている旨のメッセージ、例えば、「現在音声の送信が禁止されており、こちらからは文字を入力して通話しております」等のメッセージを着信相手に送信する（Ｓ５）。かかるメッセージは、音声で着信相手に報知してもよいし、文字で報知してもよい。
【００４１】
そして、液晶パネル１４に図５（ｃ）に示す文字入力画面を表示する（Ｓ６）。そして、画面中の「送信」に対応するボタンが操作されたか否かを判定する（Ｓ７）。送信ボタンが操作された場合（Ｓ７：ＹＥＳ）、入力された文字に対応する電子音声データを生成し、送信する（Ｓ８）。これにより、図２に示すように、着信相手は、入力した文字を音声で受信できるため、通常通り通話することができる。
【００４２】
その後、通話が終了したか否かを判定する（Ｓ９）。即ち、図５（ｃ）に示す文字入力画面の「切断」に対応するボタンが操作されたか否かを判定する。また、送信ボタンが操作されていない場合（Ｓ７：ＮＯ）、Ｓ９に移行し、通話が終了したか否かを判定する。通話が終了していない場合（Ｓ９：ＮＯ）、Ｓ８に戻る。
【００４３】
通話が終了した場合（Ｓ９：ＹＥＳ）には、出場信号を受信したか否かを判定する（Ｓ１０）。出場信号を受信していない場合（Ｓ１０：ＮＯ）、即ち、まだ出場改札２０ｂから出場していない場合、Ｓ３に戻る。出場信号を受信した場合（Ｓ１０：ＹＥＳ）、着信モードを通常モードに切り替え（Ｓ１１）、Ｓ１に戻る。
【００４４】
（自動改札機の動作）
自動改札機２０の制御部２８は、切符４０が投入口２１に投入されたり、非接触切符５０がリーダ・ライタ装置２３にタッチ又はかざされたりすると、図７に示す処理ルーチンを実行する。まず、切符４０又は非接触切符５０内のデータを読み取る（Ｓ２０）。そして、そのデータに基づいて、入場（又は出場）を許可するか否かを判定する（Ｓ２１）。入場（出場）を許可する場合（Ｓ２１：ＹＥＳ）、ゲート２５を開き（Ｓ２２）、入場（出場）信号を送信する（Ｓ２３）。そして、本ルーチンを終了する。また、入場（出場）を許可しない場合（Ｓ２１：ＮＯ）、即ち、切符４０又は非接触切符５０が不正なものである場合、ゲート２５を閉じ、表示画面２４に入場が許可されない旨を表示する（Ｓ２４）。そして、本ルーチンを終了する。
【００４５】
（本実施の形態の概要）
以上説明したように、本実施の形態の携帯電話機は、外部からの入力（入場信号、出場信号の受信）によって、着信モードを無音で着信を報知するマナーモードに切り替えるモード切替手段（マイクロコンピュータ１１）と、モード切替手段によりマナーモードに切り替えられた場合において、利用者が発する音声の送信を禁止する音声送信禁止手段（マイクロコンピュータ１１）と、モード切替手段によりマナーモードに切り替えられた場合において、着信すると文字の入力が可能な画面を表示する画面表示手段（マイクロコンピュータ１１、表示パネル１４）と、画面において文字を入力する文字入力手段（マイクロコンピュータ１１、操作部１５）と、入力された文字に対応する文字データを、音声データに変換するデータ変換手段（マイクロコンピュータ１１）と、当該データ変換手段によって変換された音声データを着信相手に送信するデータ送信手段（マイクロコンピュータ１１、無線部１９、アンテナ１９ａ）とを備えた構成にされている。
【００４６】
この構成によると、利用者の携帯電話機が外部からの入力により自動的にマナーモードに切り替えられ、かつ、その携帯電話機からの送話をすることができないようになっている。そして、そのときに着信があると、文字が入力可能となり、入力した文字を着信相手に送信するようになっている。つまり、通話が禁止されているエリアでの通話を制限できると共に、着信相手と文字による通話が可能となる。これにより、通話ができないエリアで重要な着信があっても直ぐに応答することができ、一方方向の電子メールとは異なりリアルタイムでの双方向のやり取りができる場合がある。なお、外部からの入力は、利用者の近くにある機器等から送信される信号であってもよいし、利用者の操作による入力であってもよい。
【００４７】
また、本実施の形態は、利用者の構内への入場を許可する駅務機器（自動改札機２０）が送信する入場信号に基づいて機能が制御される携帯電話機において、入場信号を受信する入場信号受信手段（マイクロコンピュータ１１、信号受信部１７）と、入場信号を受信すると、着信モードを無音で着信を報知するマナーモードに切り替えるモード切替手段（マイクロコンピュータ１１）と、モード切替手段によりマナーモードに切り替えられた場合において、利用者が発する音声の送信を禁止する音声送信禁止手段（マイクロコンピュータ１１）と、モード切替手段によりマナーモードに切り替えられた場合において、着信すると文字の入力が可能な画面を表示する画面表示手段（マイクロコンピュータ１１、液晶パネル１４）と、画面において文字を入力する文字入力手段（マイクロコンピュータ１１、操作部１５）と、入力された文字に対応するデータを、着信相手に送信するデータ送信手段（マイクロコンピュータ１１、無線部１９、アンテナ１９ａ）とを備えた構成にされている。
【００４８】
この構成によると、利用者は駅務機器を通り構内へと入場するとその利用者が所有する携帯電話機が自動的にマナーモードに切り替えられ、かつ、その携帯電話機からの送話をすることができないようになっている。そして、そのときに着信があると、文字が入力可能となり、入力した文字を着信相手に送信するようになっている。つまり、通話が禁止されている車中での通話を制限できると共に、着信相手と文字による通話が可能となる。これにより、通話ができない車中で重要な着信があっても直ぐに応答することができ、一方方向の電子メールとは異なりリアルタイムでの双方向のやり取りができる場合がある。
【００４９】
また、本実施の形態の携帯電話機において、入力された文字を対応する音声データに変換するデータ変換手段（マイクロコンピュータ１１）をさらに備え、データ送信手段は、音声データを送信する構成にされている。
【００５０】
この構成によると、入力した文字が音声データとして着信相手に送信されるため、着信相手側では通常の通話と同じように通話ができる場合がある。
【００５１】
さらに、本実施の形態の携帯電話機において、着信時に、着信相手に音声の送信が禁止されていることを報知する報知手段（マイクロコンピュータ１１、無線部１９、アンテナ１９ａ）を備えた構成にされている。
【００５２】
また、本実施の形態は、携帯電話機（携帯電話機１０）と、駅務機器（自動改札機２０）とから構成される駅務システムにおいて、駅務機器は、利用者の構内への入場を許可する入場許可手段（制御部２８）と、入場許可手段が許可した場合に、携帯電話機に入場信号を送信する入場信号送信手段（制御部２８、信号送信部２７）とを有した構成にされている。
【００５３】
この構成によると、利用者は駅務機器を通り構内へと入場するとその利用者が所有する携帯電話機が自動的にマナーモードに切り替えられ、かつ、その携帯電話機からの送話をすることができないようになっている。そして、そのときに着信があると、文字が入力可能となり、入力した文字を着信相手に送信するようになっている。つまり、通話が禁止されている車中での通話を制限できると共に、着信相手と文字による通話が可能となる。これにより、通話ができない車中で重要な着信があっても直ぐに応答することができ、一方方向の電子メールとは異なりリアルタイムでの双方向のやり取りができる場合がある。
【００５４】
本発明は、上記の好ましい実施形態に記載されているが、本発明はそれだけに制限されない。本発明の趣旨と範囲から逸脱することのない様々な実施形態が他になされることは理解されよう。さらに、本実施形態において、本発明の構成による作用および効果を述べているが、これら作用および効果は、一例であり、本発明を限定するものではない。
【００５５】
例えば、本実施の形態の携帯電話機は、自動改札機からの信号を受信すると着信モードが切り替えられ、機能が制限されるようになっているが、これ以外の方法により、携帯電話機を制御するようにしてもよい。例えば、電車のドアに信号を送信する装置を設け、電車に乗降する際に、携帯電話機を制御するようにしてもよいし、利用者が各自でボタン等を押すことで設定できるようにしてもよい。また、本実施の形態の携帯電話機は、入力された文字が電子音声に変換し、着信相手に送信するようになっているが、文字データを送信するようにしてもよい。
【００５６】
また、上述した非接触切符５０を携帯電話機１０に内蔵し、携帯電話機１０をリーダ・ライタ装置２３にタッチ又はかざした際に、機能等が制限されるような構成であってもよい。
【図面の簡単な説明】
【００５７】
【図１】本実施の形態の駅務システムの全体を示す概略図。
【図２】音声の送信が禁止された際の携帯電話機の通話状態を説明するための概略図。
【図３】携帯電話機の電気的構成を示すブロック図。
【図４】自動改札機と非接触切符との電気的構成を示すブロック図。
【図５】（ａ）マナーモードに切り替えられた際に表示される画面。（ｂ）着信した際に表示される画面。（ｃ）着信相手に送信する文字を入力する画面。
【図６】携帯電話機が実行する処理ルーチンのフローチャートを示す図。
【図７】自動改札機が実行する処理ルーチンのフローチャートを示す図。
【符号の説明】
【００５８】
１    駅務システム
１０    携帯電話機
２０    自動改札機
２０ａ  入場改札
２０ｂ  出場改札
３０    基地局
【図１】
2007329710.tif 000003
【図２】
2007329710.tif 000004
【図３】
2007329710.tif 000005
【図４】
2007329710.tif 000006
【図５】
2007329710.tif 000007
【図６】
2007329710.tif 000008
【図７】
2007329710.tif 000009